(57)【要約】【課題】建造物の出隅部分や入隅部分等に位置する足場構築体の不定長とされた足場板の縁部に取付可能な幅木装置を提供する。【解決手段】伸縮自在な側壁(8)を形成する幅木本体(7)と、該幅木本体を支柱(1)に係着自在とするフック機構(14)を構成し、フックを前記側壁に沿わせた格納位置(P1)と前記側壁に交差して突出させた作動位置(P2)との間で回動自在となるようにブラケットに枢結しており、フックをブラケットに対して引寄せ方向と離反方向に移動自在とする移動許容手段(25)と、フックを前記引寄せ方向に弾発付勢するスプリング(26)を設け、少なくとも前記作動位置(P2)に臨んで、フックをスプリングにより前記引寄せ方向に移動したとき該引寄せ方向に対向して受止め係止すると共に回動不能に係止し、スプリングに抗して前記離反方向に移動したとき前記係止を解除して回動自在とする固定ロック手段(27a)を設けている。【選択図】図７
2013221368.tif 000002
【特許請求の範囲】
【請求項１】
支柱に囲まれた作業空間を形成する足場板の縁部に沿って配置される足場用幅木装置であり、
前記幅木装置(6)は、長手方向に連結された分割体(7a,7b)により伸縮自在な側壁(8)を形成する幅木本体(7)と、該幅木本体を少なくとも前記支柱(1)に係着自在とするフック機構(14)を構成し、
前記フック機構(14)は、前記側壁(8)に固設されたブラケット(21)と、該ブラケットに枢結されたフック(22)と、該フックを前記側壁に沿わせた格納位置(P1)と前記側壁に交差して突出させた作動位置(P2)との間で回動自在となるように軸支する枢軸(23)を含む枢結機構(24)を備え、
前記枢結機構(24)は、フックをブラケットに対して引寄せ方向と離反方向に移動自在とする移動許容手段(25)と、フックを前記引寄せ方向に弾発付勢するスプリング(26)を設けており、
前記ブラケット(21)とフック(22)の相互に、フックをスプリングにより前記引寄せ方向に移動したとき該引寄せ方向に対向して受止め係止すると共に回動不能に係止し、スプリングに抗して前記離反方向に移動したとき前記係止を解除して回動自在とする固定ロック手段(27)を設け、
前記固定ロック手段(27a)は、前記格納位置(P1)と作動位置(P2)のうち少なくともフックが作動位置(P2)に臨む個所に設けられて成ることを特徴とする足場用幅木装置。
【請求項２】
支柱に囲まれた作業空間を形成する足場板の縁部に沿って配置される足場用幅木装置において、足場板の縁部に先付け幅木(5)を取付けた状態で、これに隣接する足場板の縁部に沿って配置される足場用幅木装置であり、
前記幅木装置(6)は、長手方向に連結された分割体(7a,7b)により伸縮自在な側壁(8)を形成する幅木本体(7)と、該幅木本体を前記先付け幅木(5)に連結自在とする連結機構(13)と、該幅木本体を前記支柱に係着自在とするフック機構(14)を備え、
前記連結機構(13)は、幅木本体の両端部の上面に水平回動自在に設けられたアーム部材(16)と、該アーム部材を先付け幅木(5)に固定する固定手段(17)を設けており、
前記フック機構(14)は、幅木本体の両端部の側壁(8)に固設されたブラケット(21)と、該ブラケットに枢結されたフック(22)と、該フックを前記側壁に沿わせた格納位置(P1)と前記側壁に交差して突出させた作動位置(P2)との間で回動自在となるように軸支する枢軸(23)を含む枢結機構(24)を備え、
前記枢結機構(24)は、フックをブラケットに対して引寄せ方向と離反方向に移動自在とする移動許容手段(25)と、フックを前記引寄せ方向に弾発付勢するスプリング(26)を設けており、
前記ブラケット(21)とフック(22)の相互に、フックをスプリングにより前記引寄せ方向に移動したとき該引寄せ方向に対向して受止め係止すると共に回動不能に係止し、スプリングに抗して前記離反方向に移動したとき前記係止を解除して回動自在とする固定ロック手段(27)を設け、
前記固定ロック手段(27a)は、前記格納位置と作動位置のうち少なくともフックが作動位置に臨む個所に設けられて成ることを特徴とする足場用幅木装置。
【請求項３】
前記枢結機構(24)の移動許容手段(25)は、フックを枢軸(23)の径方向に摺動自在に軸支する長孔(35)により形成され、
前記固定ロック手段(27a)は、ブラケットとフックの相互に設けられた嵌脱自在な突起(36)と凹部(37)により構成されて成ることを特徴とする請求項１又は２に記載の足場用幅木装置。
【請求項４】
前記固定ロック手段(27a)は、前記枢軸(23)と平行状態でフックに設けたピン(36a)と、該ピンを嵌脱自在とするようにブラケットに設けた凹部(37)により構成され、
前記スプリング(26)は、前記枢軸(23)と前記ピン(36a)の間に設けられた引張りバネにより構成されて成ることを特徴とする請求項３に記載の足場用幅木装置。
【請求項５】
前記スプリング(26)は、板バネから成り、前記枢軸(23)と前記ピン(36a)をそれぞれ挿通する一対の筒部(39,39)と、両筒部から相互に離反方向に延長された一対の翼部(40,40)と、前記翼部から折返して一対の翼部を連結する基板部(41)を一連一体に備え、前記翼部(40,40)と基板部(41)の折返し部を鋭角となるように形成して成ることを特徴とする請求項４に記載の足場用幅木装置。
【発明の詳細な説明】
【技術分野】
【０００１】
本発明は、足場用の幅木装置に関し、特に、足場板の縁部に先付け幅木を取付けた状態で、これに隣接する足場板の縁部に沿って配置される幅木装置に関する。
【背景技術】
【０００２】
建築現場や建設現場等に構築される仮設足場において、支柱に架設した横架材に足場板を搭載し、該足場板により形成される作業空間で高所作業を行う場合、作業中に、作業空間から外部空間に向けて、作業者が使用する工具や作業用機材や、ボルト又はナットその他の物品が誤って落下するおそれがある。このような落下物は、地上を往来する者を直撃する危険があり、人身事故を招来する可能性がある。そこで、足場板の上に置かれた物品が外部空間に落下することを防止するため、足場板の縁部に幅木を設けることが望ましい。
【０００３】
ところで、仮設足場は、例えば建造物の外壁に沿って、該外壁の遠近方向に所定間隔を有する一対の支柱を１組として、該１組の支柱を外壁に沿って所定間隔をあけて立設することにより構築され、前記１組を成す一対の支柱間に横架材を架設し、該横架材に足場板を搭載する構成とされている。
【０００４】
そこで、足場板は、隣り合う横架材の間に架設するため、桁側の長さと妻側の幅を所定寸法とした長方形状とされており、足場板の桁方向の長さと、前記横架材の間隔（つまり外壁に沿う方向の支柱の間隔に相当する）が対応させられる。これに対して、前記横架材は、長さ（つまり１組を成す一対の支柱の間隔に相当する）を相違した数種類が用意されており、足場板の単数枚又は複数枚を組み合わせにより対応させられ、又は妻側の幅寸法が異なる足場板の組み合わせにより対応させられる。
【０００５】
従って、足場板の桁側の長さは一定であるため、従来の一般的な幅木は、足場板の桁方向の長さに応じて形成され、足場の縁部や横架材に固定するように構成されている。
【０００６】
しかしながら、上述のように、足場板の妻側の長さ（つまり横架材の長さ）は必ずしも一定ではなく、しかも、後述するように、建造物の出隅部分や入隅部分等では、妻側が外部空間に臨むため、長さを可変とした伸縮自在な妻側専用の幅木が取付けられている。
【先行技術文献】
【特許文献】
【０００７】
【特許文献１】特開２０１１−２４１６５６号公報
【特許文献２】特開２０１０−２２９６９９号公報
【発明の概要】
【発明が解決しようとする課題】
【０００８】
特許文献１の幅木は、伸縮自在な幅木本体の両端部の側壁にフック手段を設け、該フック手段を幅木本体の側壁に沿う格納位置と前記側壁から突出する係止位置の間で、回動自在となるように構成し、常時、フック手段を格納位置に向けて弾発付勢するスプリングを設けている。従って、この幅木は、前記フック手段により足場構築体の支柱に係着することができるという利点がある。
【０００９】
しかしながら、格納位置から係止位置に回動することにより支柱に係着されたフック手段は、常にスプリングにより格納位置に向けて弾発付勢されており、従って、スプリングにより幅木と支柱を相互に引き寄せる方向の力が作用している。
【００１０】
このため、スプリングが強過ぎると、幅木が支柱に向けて傾動し、あるいは、転倒するおそれがある。
【課題を解決するための手段】
【００１１】
本発明は、上記課題を解決した足場用幅木装置を提供するものであり、その第１の手段として構成したところは、支柱に囲まれた作業空間を形成する足場板の縁部に沿って配置される足場用幅木装置であり、前記幅木装置は、長手方向に連結された分割体により伸縮自在な側壁を形成する幅木本体と、該幅木本体を少なくとも前記支柱に係着自在とするフック機構を構成し、前記フック機構は、前記側壁に固設されたブラケットと、該ブラケットに枢結されたフックと、該フックを前記側壁に沿わせた格納位置と前記側壁に交差して突出させた作動位置との間で回動自在となるように軸支する枢軸を含む枢結機構を備え、前記枢結機構は、フックをブラケットに対して引寄せ方向と離反方向に移動自在とする移動許容手段と、フックを前記引寄せ方向に弾発付勢するスプリングを設けており、前記ブラケットとフックの相互に、フックをスプリングにより前記引寄せ方向に移動したとき該引寄せ方向に対向して受止め係止すると共に回動不能に係止し、スプリングに抗して前記離反方向に移動したとき前記係止を解除して回動自在とする固定ロック手段を設け、前記固定ロック手段は、前記格納位置と作動位置のうち少なくともフックが作動位置に臨む個所に設けられて成る点にある。
【００１２】
また、本発明が第２の手段として構成したところは、支柱に囲まれた作業空間を形成する足場板の縁部に沿って配置される足場用幅木装置において、足場板の縁部に先付け幅木を取付けた状態で、これに隣接する足場板の縁部に沿って配置される足場用幅木装置であり、前記幅木装置は、長手方向に連結された分割体により伸縮自在な側壁を形成する幅木本体と、該幅木本体を前記先付け幅木に連結自在とする連結機構と、該幅木本体を前記支柱に係着自在とするフック機構を備え、前記連結機構は、幅木本体の両端部の上面に水平回動自在に設けられたアーム部材と、該アーム部材を先付け幅木に固定する固定手段を設けており、前記フック機構は、幅木本体の両端部の側壁に固設されたブラケットと、該ブラケットに枢結されたフックと、該フックを前記側壁に沿わせた格納位置と前記側壁に交差して突出させた作動位置との間で回動自在となるように軸支する枢軸を含む枢結機構を備え、前記枢結機構は、フックをブラケットに対して引寄せ方向と離反方向に移動自在とする移動許容手段と、フックを前記引寄せ方向に弾発付勢するスプリングを設けており、前記ブラケットとフックの相互に、フックをスプリングにより前記引寄せ方向に移動したとき該引寄せ方向に対向して受止め係止すると共に回動不能に係止し、スプリングに抗して前記離反方向に移動したとき前記係止を解除して回動自在とする固定ロック手段を設け、前記固定ロック手段は、前記格納位置と作動位置のうち少なくともフックが作動位置に臨む個所に設けられて成る点にある。
【００１３】
本発明の好ましい実施形態において、前記枢結機構の移動許容手段は、フックを枢軸の径方向に摺動自在に軸支する長孔により形成され、前記固定ロック手段は、ブラケットとフックの相互に設けられた嵌脱自在な突起と凹部により構成されている。
【００１４】
前記固定ロック手段は、前記枢軸と平行状態でフックに設けたピンと、該ピンを嵌脱自在とするようにブラケットに設けた凹部により構成され、前記スプリングは、前記枢軸と前記ピンの間に設けられた引張りバネにより構成されている。
【００１５】
更に好ましくは、前記スプリングは、板バネから成り、前記枢軸と前記ピンをそれぞれ挿通する一対の筒部と、両筒部から相互に離反方向に延長された一対の翼部と、前記翼部から折返して一対の翼部を連結する基板部を一連一体に備え、前記翼部と基板部の折返し部を鋭角となるように形成している。
【発明の効果】
【００１６】
本発明によれば、建造物の出隅部分や入隅部分等に位置する足場構築体の不定長とされた足場板の縁部に対して、幅木本体７を伸縮させることにより、幅木装置６を取付けることが可能であり、その際、フック機構１４のフック２２を支柱１に係着することができるので、幅木装置６の安定した取付けが可能となる。
【００１７】
そして、フック機構１４は、格納位置Ｐ１と作動位置Ｐ２の間で回動自在なフック２２をスプリング２６によりブラケット２１に引寄せるように弾発付勢しているので、格納位置Ｐ１におけるフック２２の自由な回動が阻止され、運搬時や保管時における幅木装置６の取扱いを容易とする。
【００１８】
特に、本発明によれば、フック２２は、支柱１に係着した状態で、固定ロック手段２７ａにより、引寄せ方向に対向する受止め係止と回動不能な係止が行われ、フック２２と支柱１の間にスプリング２６の弾発付勢力を作用させず、フック２２を水平姿勢にて作動位置Ｐ２に保持する構成であるから、上述の従来技術のように幅木本体７が支柱１に引寄せられる問題はなく、幅木装置６の安定した取付状態を可能とする。
【図面の簡単な説明】
【００１９】
【図１】足場構築体における本発明の幅木装置の使用例を示す平面図である。
【図２】本発明の幅木装置の１実施形態を示す斜視図である。
【図３】幅木装置の１実施形態を分解状態で示す正面図である。
【図４】図１のＡ部を示しており、（Ａ）は平面図、（Ｂ）は正面図である。
【図５】図１のＢ部を示しており、（Ａ）は平面図、（Ｂ）は正面図である。
【図６】図１のＣ部を示しており、（Ａ）は平面図、（Ｂ）は正面図である。
【図７】幅木装置のフック機構を分解状態で示す斜視図である。
【図８】幅木装置のフック機構を示しており、（Ａ）はフックを格納姿勢とした状態を示す斜視図、（Ｂ）はフックを稼働姿勢とした状態を示す斜視図である。
【図９】フックを格納姿勢とした状態の作用を示しており、（Ａ）は格納時ロック手段のロック状態を示す断面図、（Ｂ）は格納時ロック手段のロック解除状態を示す断面図である。
【図１０】フックを稼働姿勢とした状態の作用を示しており、（Ａ）は稼働時ロック手段のロック状態を示す断面図、（Ｂ）は稼働時ロック手段のロック解除状態を示す断面図である。
【図１１】スプリングの作用を示しており、（Ａ）は常態を示す側面図、（Ｂ）は変形状態を示す側面図である。
【図１２】幅木装置の使用状態を例示する平面図である。
【発明を実施するための形態】
【００２０】
以下図面に基づいて本発明の好ましい実施形態を詳述する。
【００２１】
図１は、足場構築体における本発明の幅木装置の使用例を示している。足場構築体は、上下方向に延びる支柱１、１に横架材２が架設され、対向する横架材２、２の間に足場板３を搭載することにより、支柱１で囲まれた作業空間を形成している。尚、図例のように、足場板３は、妻側の縁部にフック金具を設けており、該フック金具を係止することにより横架材２、２の間に架設される。
【００２２】
図示のように、建造物４のコーナ部分に構築された足場構築体は、足場板３の所望の桁側の縁部に、一般的な所定長さを有する幅木５（以下「先付け幅木５」という。）が取付けられる。この点は公知の通りである。
【００２３】
しかしながら、図１に例示する配置方向を東西南北（Ｅ、Ｗ、Ｓ、Ｎ）に基づき説明すると、符号Ｘ１で示す西北方向の「出隅部分」には２枚を並設された足場板３、３の妻側が臨み、また、符号Ｘ２で示す東北方向の「出隅部分」には１枚の足場板３の妻側が臨み、更に、符号Ｘ３で示す西方向の「入隅部分」には足場板３の桁側が部分的に臨んでおり、何れの個所も、先付け幅木５を取付けることができない不定長な縁部Ｘが形成される。同様に、足場板により形成される作業者の往来路に「行き止まり」のための幅木を取付ける必要がある場合にも、先付け幅木５は取付け不能である。
【００２４】
そこで、このような先付け幅木５が取付け不能とされる不定長な縁部Ｘ等には、本発明の幅木装置６が取付けられ、上述の安全性が確保される。
【００２５】
図２及び図３に示すように、幅木装置６は、長手方向に連結された分割体７ａ、７ｂにより伸縮自在な側壁８を形成する幅木本体７を構成している。図例の場合、幅木本体７は、前記側壁８の上下縁部から断面Ｌ形のレール部９ａ、９ｂを折曲形成し、一方の分割体７ａに固着したスライド部材１０を他方の分割体７ｂのレール部９ａ、９ｂに摺動自在に嵌合し、前記スライド部材１０の長手方向に延びるスリット１１に他方の分割体７ｂに設けたボルト及び蝶ナット等から成る締付部材１２を摺動自在に挿通すると共に、任意の伸縮位置で締付により固定可能とするように構成されている。しかしながら、幅木本体７の伸縮構造は、図例の構成に限ることなく、任意に構成することが可能である。
【００２６】
幅木装置６は、前記先付け幅木５に連結自在とされる連結機構１３、１３を幅木本体７の上側レール部９ａの上面に設け、支柱１に係着自在とされるフック機構１４、１４を幅木本体７の両端部の側壁８に設けている。
【００２７】
前記連結機構１３は、幅木本体７の両端部に位置する上側レール部９ａの上面にボルト等の縦軸１５を介して水平回動自在に設けられたアーム部材１６と、該アーム部材１６を先付け幅木５に固定する固定手段１７を設けている。固定手段１７は、上下方向に延びる支持片１８と、該支持片１８に螺挿され前記アーム部材１６の延長方向に進退自在とされた締着手段１９を備え、該支持片１８の上端部に貫設した孔２０を介してアーム部材１６に摺動自在に挿着されている。
【００２８】
従って、図５に示すように、幅木装置６が先付け幅木５に対して交差配置される場合は、アーム部材１６を幅木本体７の延長方向に向かうように水平回動し、支持片１８により先付け幅木５を抱持した状態で、締着手段１９を螺進させることにより、幅木本体７の端部と締着手段１９の間に先付け幅木５を挟着する。これにより幅木装置６は、先付け幅木５に連結固定される。
【００２９】
また、図６に示すように、幅木装置６が先付け幅木５に対して相互に端部を重ね合わせる状態で配置される場合は、アーム部材１６を幅木本体７の交差方向に向かうように水平回動し、支持片１８により先付け幅木５を抱持した状態で、締着手段１９を螺進させることにより、幅木本体７の端部と締着手段１９の間に先付け幅木５を挟着する。これにより幅木装置６は、先付け幅木５に連結固定される。
【００３０】
図５及び図６の何れの場合も、締着手段１９を螺進させ、先端の押圧部１９ａを先付け幅木５に当接させた状態で更に締着手段１９を螺進すると、支持片１８が孔２０を支点として前記螺進方向の反対方向に傾動させられ、その結果、孔２０とアーム部材１６が相互に噛合することにより支持片１８を摺動不能に固定し、この固定状態で押圧部１９ａが先付け幅木５に圧接される。
【００３１】
図２並びに図７及び図８に示すように、前記フック機構１４は、幅木本体７の両端部に位置して側壁８に固設されるブラケット２１と、該ブラケット２１に枢結されるフック２２と、該フック２２を前記側壁８に沿わせた格納位置Ｐ１と前記側壁８に交差して突出させた作動位置Ｐ２との間で回動自在となるように軸支する枢軸２３を含む枢結機構２４を備えている。
【００３２】
前記枢結機構２４は、フック２２をブラケット２１に対して引寄せ方向と離反方向に移動自在とする移動許容手段２５と、フック２２を前記引寄せ方向に弾発付勢するスプリング２６を設けており、前記ブラケット２１とフック２２の相互には、フック２２をスプリング２６により前記引寄せ方向に移動したとき、該引寄せ方向に受止め係止すると共に回動不能に係止し、反対に、スプリング２６に抗して前記離反方向に移動したとき、前記係止を解除して回動自在とする固定ロック手段２７ａ、２７ｂが設けられている。
【００３３】
図示実施形態の場合、前記ブラケット２１は、ボルト等の固着手段２８により側壁８に固着される固着孔２９を備えた背板３０と、該背板３０の両側縁から折曲された側板３１、３１を備え、該側板３１、３１に枢軸２３を挿通させる軸支孔３２を貫設している。
【００３４】
前記フック２２は、相互に間隔をあけて重ねられ横向きに開口部３３を有する一対のフック片２２ａ、２２ａの基端部から一対の枢支片３４、３４を延設し、該枢支片３４に貫設した長孔３５により前記移動許容手段２５を構成している。フック２２は、ブラケット２１に対して、一対の枢支片３４、３４を前記側板３１、３１の外側に重ね合わせた状態で、長孔３５、３５及び軸支孔３２、３２に枢軸２３を挿通することにより回動自在に枢結され、前記長孔３５、３５を介して枢軸２３の径方向に向けて摺動自在とされる。尚、図例の場合、枢軸２３は、ボルト２３ａとナット２３ｂにより構成されている。
【００３５】
前記固定ロック手段２７ａ、２７ｂは、フック２２の枢支片３４、３４に挿着されるピン３６ａから成る突起３６と、前記ブラケット２１における側板３１の縁部に凹設された凹部３７により構成されている。従って、フック２２は、前記長孔３５を介して、ブラケット２１に対し引寄せ方向に移動したとき、突起３６を凹部３７に受止め係止すると共に回動不能に係止し、ブラケット２１から離反方向に移動したとき前記係止を解除することにより枢軸２３の廻りに回動自在とされる。
【００３６】
図示実施形態の場合、固定ロック手段は、ブラケット２１の側板３１の前縁に凹設した凹部３７によりフック２２を作動位置Ｐ２において係止可能とする第１固定ロック手段２７ａを構成し、ブラケット２１の下縁に凹設した凹部３７によりフック２２を格納位置Ｐ１において係止可能とする第２固定ロック手段２７ｂを構成している。
【００３７】
好ましくは、ブラケット２１の側板３１、３１の上縁から外向きに折曲された翼片状のストッパ３８、３８が設けられ、フック２２を格納位置Ｐ１から作動位置Ｐ２に向けて回動したとき、枢支片３４、３４を作動位置Ｐ２で停止させるように構成している。
【００３８】
前記スプリング２６は、前記枢軸２３とピン３６ａの間に設けられた引張りバネにより構成され、図示実施形態の場合、図１１に示すような板バネから成り、前記枢軸２３とピン３６ａをそれぞれ挿通する一対の筒部３９、３９と、両筒部から相互に離反方向に延長された一対の翼部４０、４０と、前記翼部４０から折返して一対の翼部４０、４０を連結する基板部４１を連続して一体に備え、前記翼部４０と基板部４１の折返し部を鋭角となるように形成している。そこで、図１１（Ａ）に示すように、常時は一対の筒部３９、３９を相互に当接ないし近接した状態にあるが、図１１（Ｂ）に示すように枢軸２３及びピン３６ａと共に筒部３９、３９を離反させると、鋭角とされた前記折返し部分を広げる方向の弾性変形と、基板部を撓ませる方向の弾性変形により、弾発付勢力が蓄積される。
【００３９】
スプリング２６は、枢軸２３とピン３６ａの間に張設される引張りコイルバネにより構成しても良いが、図例のように枢軸２３とピン３６ａを近接させたコンパクトな構成を可能とするためには、図示のような板バネが好ましい。
【００４０】
図９（Ａ）は、フック２２を格納位置Ｐ１に格納した状態を示しており、スプリング２６がフック２２をブラケット２１に向け上向きに引寄せ、第２固定ロック手段２７ｂを係止することにより、フック２２を回動不能に保持している。
【００４１】
この状態から、図９（Ｂ）に示すように、フック２２を下向きに引張り、スプリング２６に抗してブラケット２１から離反方向に移動させると、第２固定ロック手段２７ｂの係止が解除され、鎖線で示すようにフック２２の回動が可能となる。
【００４２】
この際、第２固定ロック手段２７ｂを構成する凹部３７と第１固定ロック手段２７ａを構成する凹部３７の間に位置して、スプリング２６により付勢されたピン３６ａを預けて載せた状態で移動させる傾斜縁から成るガイド部４２を側板３１に形成しておけば、フック２２の回動操作が容易となる。
【００４３】
図１０（Ａ）は、フック２２を作動位置Ｐ２に回動した状態を示している。前述のようにフック２２を格納位置Ｐ１から作動位置Ｐ２に向けて回動すると、枢支片３４がストッパ３８に当接することにより、ピン３６ａを第１固定ロック手段２７ａの凹部３７に臨ませるので、スプリング２６によりフック２２が引寄せられて移動し、第１固定ロック手段２７ａを係止する。この係止状態において、ピン３６ａは、凹部３７により前記引寄せ方向に対向して受止め係止されているので、フック２２がスプリング２６により更に引寄せ方向に移動することはなく、しかも、回動不能に係止される。
【００４４】
図２及び図３に示すように、フック機構１４、１４は、幅木本体７の両端部に位置して相互にフック２２の開口部３３を対向させるように構成されている。従って、幅木装置６を支柱１に係着する際、フック２２を作動位置Ｐ２に保持させた後、幅木本体７の分割体７ａ、７ｂを伸長状態から収縮させながら支柱１を開口部３３からフック２２に進入させ、係着した状態で締付部材１２により幅木本体７を伸縮不能に固定する。
【００４５】
例えば、図１２に示す使用例の場合、建造物４に近接するように配置された足場板３が横架材２の上で図示矢印Ｍの方向にズレ動く可能性があるが、上述のようにフック２２の開口部３３を内向き（幅木本体７の収縮方向）に形成することにより、支柱１に対して前記Ｍ方向の移動を阻止するように係着することができる。この際、万一、締付部材１２の弛み等により、幅木本体７が伸長することにより前記Ｍ方向のズレ動きが生じた場合でも、少なくともフック２２が支柱１から外れることはないので、幅木装置６の転倒や脱落を招来することはない。
【００４６】
図４に示すように、フック２２は、支柱１に係着したとき、フック２２と支柱１の間にスプリング２６の弾発付勢力を作用させない状態で、水平姿勢を維持した作動位置Ｐ２に保持されている。従って、上述の従来技術のように幅木本体７が支柱１に引寄せられるような問題は生じない。
【００４７】
しかも、フック２２は、ブラケット２１の離反方向に引張るだけで、作動位置Ｐ２と格納位置Ｐ１の相互間を簡単に回動させることができ、作業もワンタッチで簡単容易に行うことができる。
【００４８】
本発明が図示実施形態に限定されないことは勿論であり、特許請求の範囲に記載した構成の範囲内で種々の変更が可能である。例えば、図示実施形態では第１固定ロック手段２７ａと第２固定ロック手段２７ｂを設けているが、格納位置Ｐ１では、スプリング２６によりブラケット２１に圧接するだけでもフック２２の自由な回動を阻止できるので、第２固定ロック手段２７ｂは必ずしも必要ではない。
【符号の説明】
【００４９】
１  支柱
２  横架材
３  足場板
４  建造物
５  先付け幅木
６  幅木装置
７  幅木本体
７ａ、７ｂ  分割体
８  側壁
９ａ、９ｂ  レール部
１０  スライド部材
１１  スリット
１２  締付部材
１３  連結機構
１４  フック機構
１５  縦軸
１６  アーム部材
１７  固定手段
１８  支持片
１９  締着手段
１９ａ  押圧部
２０  孔
２１  ブラケット
２２  フック
２２ａ  フック片
２３  枢軸
２３ａ  ボルト
２３ｂ  ナット
２４  枢結機構
２５  移動許容手段
２６  スプリング
２７ａ、２７ｂ  固定ロック手段
２８  固着手段
２９  固着孔
３０  背板
３１  側板
３２  軸支孔
３３  開口部
３４  枢支片
３５  長孔
３６  突起
３６ａ  ピン
３７  凹部
３８  ストッパ
３９  筒部
４０  翼部
４１  基板部
４２  ガイド部
【図１】
2013221368.tif 000003
【図２】
2013221368.tif 000004
【図３】
2013221368.tif 000005
【図４】
2013221368.tif 000006
【図５】
2013221368.tif 000007
【図６】
2013221368.tif 000008
【図７】
2013221368.tif 000009
【図８】
2013221368.tif 000010
【図９】
2013221368.tif 000011
【図１０】
2013221368.tif 000012
【図１１】
2013221368.tif 000013
【図１２】
2013221368.tif 000014